(57)【特許請求の範囲】
【請求項１】
複数の事業者間でアンテナを共有するためのシステムであって、
無線周波数およびデジタル変換ユニットと
アクティブアンテナと
を備え、
前記無線周波数およびデジタル変換ユニットは、少なくとも2つの事業者の無線周波数モジュールから来る無線周波数信号をデジタル信号に変換し、同じセクタのデジタル信号を前記セクタに対応するアクティブアンテナに送信するように構成され、
前記アクティブアンテナは、事業者ごとに設定される信号送信パラメータに従って、受信されたデジタル信号に垂直ビームフォーミング処理と水平ビームフォーミング処理とのうちの少なくとも1つを実行し、処理された前記デジタル信号を対応するエアインターフェース周波数の無線周波数信号に変換し、前記無線周波数信号をエアインターフェースから送信するように構成され、
各事業者は、異なるエアインターフェース周波数に対応する、システム。
【請求項２】
前記無線周波数およびデジタル変換ユニットが、同じセクタのデジタル信号を前記セクタに対応するアクティブアンテナに送信するように構成されることは、
前記無線周波数およびデジタル変換ユニットが、変換によって取得されたデジタル信号にダウンコンバージョン、デジタルフィルタ処理、および同相直交（IQ）信号抽出を実行し、同じセクタのIQ信号にスケジューリングおよびフレーミングを実行し、前記IQ信号を前記セクタに対応するアクティブアンテナに送信するように構成されることをさらに含む、請求項1に記載のシステム。
【請求項３】
前記信号送信パラメータが、アンテナチルト角を含み、
前記アクティブアンテナが、受信されたデジタル信号に垂直ビームフォーミング処理を実行するように構成されることは、
各事業者のビームのアンテナチルト角への独立した調整が実施できるよう、事業者ごとに設定されるアンテナチルト角に従って、対応するデジタルビームフォーミング（DBF）パラメータを設定することをさらに含み、
DBFパラメータを設定することは、前記アンテナの垂直方向にビームを生成するトランシーバ（TRX）チャネルのための前記アンテナチルト角の重みを調整することである、請求項1または2に記載のシステム。
【請求項４】
前記信号送信パラメータが、アンテナアジマスまたはビーム幅を含み、
前記アクティブアンテナが、受信されたデジタル信号に水平ビームフォーミング処理を実行するように構成されることは、
各事業者のビームのアンテナアジマスとビーム幅とのうちの少なくとも1つへの独立した調整が実施できるよう、事業者ごとに設定されるアンテナアジマスまたはビーム幅に従って、対応するDBFパラメータを設定することをさらに含み、
DBFパラメータを設定することは、前記アンテナの水平方向にビームを生成するTRXチャネルのための前記アンテナアジマスまたは前記ビーム幅の重みを調整することである、請求項1から3のいずれか一項に記載のシステム。
【請求項５】
前記無線周波数およびデジタル変換ユニットが、事業者ごとに設定される前記信号送信パラメータをネットワーク管理システムから受信し、前記信号送信パラメータを前記アクティブアンテナに送信するようにさらに構成される、請求項1から4のいずれか一項に記載のシステム。
【請求項６】
無線周波数モジュールと前記無線周波数およびデジタル変換ユニットとの間に配設される周波数変換ユニットをさらに備え、
前記周波数変換ユニットは、少なくとも1つの事業者の無線周波数モジュールから来る無線周波数信号を受信し、セクタ周波数とエアインターフェース周波数との間の対応に従って、前記無線周波数信号の周波数を対応するエアインターフェース周波数に変換し、周波数が変換された無線周波数信号を前記無線周波数およびデジタル変換ユニットに送信するように構成され、
前記少なくとも1つの事業者のうちの1つの事業者の前記無線周波数モジュールは、同じ事業者のものであり異なるセクタに対応する無線周波数信号を処理し、出力するように構成され、
異なるセクタに対応する前記無線周波数信号は、異なるセクタ周波数を使用することによって区別される、請求項1から5のいずれか一項に記載のシステム。
【請求項７】
複数の事業者間でアンテナを共有するためのシステムであって、
無線周波数およびデジタル変換ユニットと
アクティブアンテナと
を備え、
前記アクティブアンテナは、エアインターフェースから受信され少なくとも2つのエアインターフェース周波数を有する無線周波数信号をデジタル信号に変換し、少なくとも2つの事業者のうちの事業者ごとに設定される信号送信パラメータに従って、前記デジタル信号に垂直ビームフォーミング処理と水平ビームフォーミング処理とのうちの少なくとも1つを実行し、前記デジタル信号を前記無線周波数およびデジタル変換ユニットに送信するように構成され、
各事業者は、異なるエアインターフェース周波数に対応し、
前記無線周波数およびデジタル変換ユニットは、前記アクティブアンテナによって送信されたデジタル信号を少なくとも2つの事業者の無線周波数モジュールに対応するデジタル信号に分解し、分解された前記デジタル信号を、前記少なくとも2つの事業者の前記無線周波数モジュールに対応し対応するエアインターフェース周波数を有する無線周波数信号に変換し、前記無線周波数信号を対応する無線周波数モジュールに送信するように構成される、システム。
【請求項８】
前記信号送信パラメータが、アンテナチルト角を含み、
前記アクティブアンテナにより、変換後に取得された前記デジタル信号に垂直ビームフォーミング処理を実行することは、
各事業者のビームのアンテナチルト角への独立した調整が実施できるよう、事業者ごとに設定されるアンテナチルト角に従って、対応するデジタルビームフォーミング（DBF）パラメータを設定することをさらに含み、
DBFパラメータを設定することは、前記アンテナの垂直方向にビームを生成するTRXチャネルのための前記アンテナチルト角の重みを調整することである、請求項7に記載のシステム。
【請求項９】
前記信号送信パラメータが、アンテナアジマスまたはビーム幅を含み、
前記アクティブアンテナにより、変換後に取得された前記デジタル信号に水平ビームフォーミング処理を実行することは、
各事業者のビームのアンテナアジマスとビーム幅とのうちの少なくとも1つへの独立した調整が実施できるよう、事業者ごとに設定されるアンテナアジマスまたはビーム幅に従って、対応するDBFパラメータを設定することをさらに含み、
DBFパラメータを設定することは、前記アンテナの水平方向にビームを生成するTRXチャネルのための前記アンテナアジマスまたは前記ビーム幅の重みを調整することである、請求項7または8に記載のシステム。
【請求項１０】
前記無線周波数およびデジタル変換ユニットが、前記アクティブアンテナによって送信されたデジタル信号をデフレームして少なくとも2つの事業者の同相直交（IQ）信号を分離し、前記IQ信号にアップコンバージョンおよびデジタル−アナログ変換を実行して前記IQ信号を無線周波数信号に変換し、変換によって取得された前記無線周波数信号を対応する無線周波数モジュールに送信するようにさらに構成される、請求項7から9のいずれか一項に記載のシステム。
【請求項１１】
前記無線周波数およびデジタル変換ユニットが、事業者ごとに設定される前記信号送信パラメータをネットワーク管理システムから受信し、前記信号送信パラメータを前記アクティブアンテナに送信するようにさらに構成される、請求項7から10のいずれか一項に記載のシステム。
【請求項１２】
複数の事業者間でアンテナを共有するための方法であって、
無線周波数およびデジタル変換ユニットを使用することにより、無線周波数信号をデジタル信号に変換し、同じセクタのデジタル信号を前記セクタに対応するアクティブアンテナに送信するステップであって、前記無線周波数信号が、少なくとも2つの事業者の無線周波数モジュールから来て、対応するエアインターフェース周波数を有し、各事業者が、異なるエアインターフェース周波数に対応する、ステップと、
前記アクティブアンテナを使用することにより、事業者ごとに設定される信号送信パラメータに従って、受信されたデジタル信号に垂直ビームフォーミング処理と水平ビームフォーミング処理とのうちの少なくとも1つを実行し、処理された前記デジタル信号を無線周波数信号に変換し、前記無線周波数信号をエアインターフェースから送信するステップと
を含む方法。
【請求項１３】
同じセクタのデジタル信号を前記セクタに対応するアクティブアンテナに送信するステップが、
前記デジタル信号にダウンコンバージョン、デジタルフィルタ処理、および同相直交（IQ）信号抽出を実行し、同じセクタのIQ信号にスケジューリングおよびフレーミングを実行し、前記IQ信号を前記セクタに対応する前記アクティブアンテナに送信するステップをさらに含む、請求項12に記載の方法。
【請求項１４】
前記信号送信パラメータが、アンテナチルト角を含み、
前記アクティブアンテナを使用することにより、受信されたデジタル信号に垂直ビームフォーミング処理を実行するステップは、
各事業者のビームのアンテナチルト角への独立した調整が実施できるよう、事業者ごとに設定されるアンテナチルト角に従って、対応するデジタルビームフォーミング（DBF）パラメータを設定するステップをさらに含み、
DBFパラメータを設定することは、前記アンテナの垂直方向にビームを生成するトランシーバ（TRX）チャネルのための前記アンテナチルト角の重みを調整することである、請求項12または13に記載の方法。
【請求項１５】
前記信号送信パラメータが、アンテナアジマスまたはビーム幅を含み、
前記アクティブアンテナを使用することにより、受信されたデジタル信号に水平ビームフォーミング処理を実行するステップは、
各事業者のビームのアンテナアジマスとビーム幅とのうちの少なくとも1つへの独立した調整が実施できるよう、事業者ごとに設定されるアンテナアジマスまたはビーム幅に従って、対応するDBFパラメータを設定するステップをさらに含み、
DBFパラメータを設定することは、前記アンテナの水平方向にビームを生成するTRXチャネルのための前記アンテナアジマスまたは前記ビーム幅の重みを調整することである、請求項12から14のいずれか一項に記載の方法。
【発明の詳細な説明】
【技術分野】
【０００１】
本発明は、ネットワーク通信技術の分野に関し、詳細には、複数の事業者間でアンテナを共有するための方法およびシステムに、ならびに無線周波数およびデジタル変換ユニットに関する。
【背景技術】
【０００２】
基地局の用地を選択することの難しさが増すとともに、複数の事業者が基地局の用地を共有することがより多くなっている。概して、1つの周波数帯域が、国または領域の中の3つの事業者に割り振られる。したがって、1つの周波数帯域について、3つの事業者のデバイスが1つの用地において、3つの基地局および3つのセクタにおいて存在し得、これは、1つの用地における1つの周波数帯域のために、9つのアンテナが必要とされることを意味する。現在、トライバンドネットワークが普及しており、これは、この1つの用地において27個のアンテナが必要とされることを意味する。当然ながら、1つの用地にそれほど多くのアンテナを配備するのは困難である。したがって、事業者はシングルバンドアンテナをマルチバンドアンテナと取り替えることがあり、これは解決策のうちの1つである。さらに、複数の事業者がアンテナを共有することも、用地においてアンテナデバイスを減らすための有効な方法である。とりわけ、複数の事業者がタワーを共有している用地では、新しい周波数帯域および新しい規格の増加とともに、タワーの負荷が増加しており、複数の事業者間でアンテナを共有することによって、タワーの負荷が低減される必要がある。
【０００３】
従来技術では、複数の事業者間でアンテナを共有する主要な様式は、複数の事業者がアンテナを共有するように同一帯域コンバイナ（SBC、Same  Band  Combiner）を追加することである。図1に示されているように、図1に示されているBTS  AおよびBTS  Bなど、複数の事業者の基地トランシーバ局（BTS、Base  Transceiver  Station）は、同じSBCに接続され、SBCは、複数の事業者の無線周波数信号を合成し、フィーダを使用することによってその信号を1つのアンテナに送信し、それによりアンテナ共有が実装される。しかしながら、この様式は以下の欠点を有する。事業者はアンテナを共有するが、チルト角、アジマス、およびビーム幅などの信号送信パラメータを独立して設定することができず、これは、各事業者が異なるネットワークプランニングおよびネットワーク最適化を実施することができないこと、ならびにネットワーク性能がほとんど最適にならないことを意味する。
【発明の概要】
【課題を解決するための手段】
【０００４】
この点から見て、本発明の実施形態は、複数の事業者がアンテナを共有するという前提条件で、各事業者によって異なるネットワークプランニングおよびネットワーク最適化が実施されることを可能にするために、複数の事業者と無線周波数およびデジタル変換ユニットとの間でアンテナを共有するための方法およびシステムを提供する。
【０００５】
第1の態様によれば、本発明の一実施形態は、複数の事業者間でアンテナを共有するためのシステムを提供し、本システムは、無線周波数およびデジタル変換ユニットと、アクティブアンテナとを含み、
無線周波数およびデジタル変換ユニットは、少なくとも2つの事業者の無線周波数モジュールから来る無線周波数信号をデジタル信号に変換し、同じセクタのデジタル信号をそのセクタに対応するアクティブアンテナに送信するように構成され、
アクティブアンテナは、事業者ごとに設定される信号送信パラメータに従って、受信されたデジタル信号に垂直ビームフォーミング処理と水平ビームフォーミング処理とのうちの少なくとも1つを実行し、処理されたデジタル信号を対応するエアインターフェース周波数の無線周波数信号に変換し、次いで、無線周波数信号をエアインターフェースから送信するように構成され、ここで、各事業者は、異なるエアインターフェース周波数に対応する。
【０００６】
第1の態様の第1の実装様式に関して、無線周波数およびデジタル変換ユニットが、同じセクタのデジタル信号をそのセクタに対応するアクティブアンテナに送信するように構成されることは、無線周波数およびデジタル変換ユニットが、変換によって取得されたデジタル信号にダウンコンバージョン、デジタルフィルタ処理、およびIQ（同相直交、In-phase  Quadrature）信号抽出を実行し、同じセクタのIQ信号にスケジューリングおよびフレーミングを実行し、次いで、IQ信号をセクタに対応するアクティブアンテナに送信するように構成されることを特に含む。
【０００７】
第1の態様または第1の態様の第1の実装様式に関する第2の実装様式では、信号送信パラメータは、アンテナチルト角を含み、アクティブアンテナが、受信されたデジタル信号に垂直ビームフォーミング処理を実行するように構成されることは、各事業者のビームのアンテナチルト角への独立した調整が実施できるよう、事業者ごとに設定されるアンテナチルト角に従って、対応するデジタルビームフォーミングDBFパラメータを設定することを特に含み、DBFパラメータを設定することは、アンテナの垂直方向にビームを生成するトランシーバTRXチャネルのためのアンテナチルト角の重みを調整することである。
【０００８】
第1の態様または第1の態様の第1または第2の実装様式に関する第3の実装様式では、信号送信パラメータは、アンテナアジマスまたはビーム幅を含み、アクティブアンテナが、受信されたデジタル信号に水平ビームフォーミング処理を実行するように構成されることは、各事業者のビームのアンテナアジマスとビーム幅とのうちの少なくとも1つへの独立した調整が実施できるよう、事業者ごとに設定されるアンテナアジマスまたはビーム幅に従って、対応するDBFパラメータを設定することを特に含み、DBFパラメータを設定することは、アンテナの水平方向にビームを生成するTRXチャネルのためのアンテナアジマスまたはビーム幅の重みを調整することである。
【０００９】
第1の態様または第1の態様の第1から第3の実装様式のいずれか1つに関する第4の実装様式では、無線周波数およびデジタル変換ユニットは、事業者ごとに設定される信号送信パラメータをネットワーク管理システムから受信し、信号送信パラメータをアクティブアンテナに送信するようにさらに構成される。
【００１０】
第1の態様または第1の態様の第1から第4の実装様式に関する第5の実装様式では、本システムは、無線周波数モジュールと無線周波数およびデジタル変換ユニットとの間に配設される周波数変換ユニットをさらに含み、
周波数変換ユニットは、少なくとも1つの事業者の無線周波数モジュールから来る無線周波数信号を受信し、セクタ周波数とエアインターフェース周波数との間の対応に従って、無線周波数信号の周波数を対応するエアインターフェース周波数に変換し、周波数が変換された無線周波数信号を無線周波数およびデジタル変換ユニットに送信するように構成され、ここで、少なくとも1つの事業者のうちの1つの事業者の無線周波数モジュールは、同じ事業者のものであり異なるセクタに対応する無線周波数信号を処理し、出力するように構成され、異なるセクタに対応する無線周波数信号は、異なるセクタ周波数を使用することによって区別される。
【００１１】
第2の態様によれば、本発明の一実施形態は、複数の事業者間でアンテナを共有するためのシステムを提供し、本システムは、無線周波数およびデジタル変換ユニットと、アクティブアンテナとを含み、
アクティブアンテナは、エアインターフェースから受信され少なくとも2つのエアインターフェース周波数を有する無線周波数信号をデジタル信号に変換し、次いで、少なくとも2つの事業者のうちの事業者ごとに設定される信号送信パラメータに従って、デジタル信号に垂直ビームフォーミング処理と水平ビームフォーミング処理とのうちの少なくとも1つを実行し、次いで、デジタル信号を無線周波数およびデジタル変換ユニットに送信するように構成され、ここで、各事業者は、異なるエアインターフェース周波数に対応し、
無線周波数およびデジタル変換ユニットは、アクティブアンテナによって送信されたデジタル信号を少なくとも2つの事業者の無線周波数モジュールに対応するデジタル信号に分解し、次いで、分解されたデジタル信号を、少なくとも2つの事業者の無線周波数モジュールに対応し対応するエアインターフェース周波数を有する無線周波数信号に変換し、無線周波数信号を対応する無線周波数モジュールに送信するように構成される。
【００１２】
第2の態様に関する一実装様式では、信号送信パラメータは、アンテナチルト角を含み、アクティブアンテナにより、変換後に取得されたデジタル信号に垂直ビームフォーミング処理を実行することは、各事業者のビームのアンテナチルト角への独立した調整が実施できるよう、事業者ごとに設定されるアンテナチルト角に従って、対応するDBFパラメータを設定することを特に含み、DBFパラメータを設定することは、アンテナの垂直方向にビームを生成するTRXチャネルのためのアンテナチルト角の重みを調整することである。
【００１３】
第2の態様に関する第2の実装様式または第2の態様では、信号送信パラメータは、アンテナアジマスまたはビーム幅を含み、アクティブアンテナにより、変換後に取得されたデジタル信号に水平ビームフォーミング処理を実行することは、各事業者のビームのアンテナアジマスとビーム幅とのうちの少なくとも1つへの独立した調整が実施できるよう、事業者ごとに設定されるアンテナアジマスまたはビーム幅に従って、対応するDBFパラメータを設定することを特に含み、DBFパラメータを設定することは、アンテナの水平方向にビームを生成するTRXチャネルのためのアンテナアジマスまたはビーム幅の重みを調整することである。
【００１４】
第2の態様または第2の態様の第1の実装様式に関する第2の実装様式では、無線周波数およびデジタル変換ユニットは、アクティブアンテナによって送信されたデジタル信号をデフレームして少なくとも2つの事業者のIQ信号を分離し、次いで、IQ信号にアップコンバージョンおよびデジタル−アナログ変換を実行してIQ信号を無線周波数信号に変換し、変換によって取得された無線周波数信号を対応する無線周波数モジュールに送信するように特に構成される。
【００１５】
第2の態様または第2の態様の第1または第2の実装様式に関する第3の実装様式では、無線周波数およびデジタル変換ユニットは、事業者ごとに設定される信号送信パラメータをネットワーク管理システムから受信し、信号送信パラメータをアクティブアンテナに送信するようにさらに構成される。
【００１６】
第2の態様または第2の態様の第1から第3の実装様式の第4の実装様式に関して、本システムは、無線周波数モジュールと無線周波数およびデジタル変換ユニットとの間に配設される周波数変換ユニットをさらに含み、
周波数変換ユニットは、無線周波数およびデジタル変換ユニットによって送信された無線周波数信号を受信し、セクタ周波数とエアインターフェース周波数との間の対応に従って、無線周波数信号の周波数を対応するセクタ周波数に変換し、次いで、同じ事業者の異なるセクタの無線周波数信号を対応する無線周波数モジュールに送信するように構成され、ここで、少なくとも2つの事業者のうちの1つの事業者の無線周波数モジュールは、異なるセクタに対応する無線周波数信号を受信し、処理するように構成され、異なるセクタに対応する無線周波数信号は、異なるセクタ周波数を使用することによって区別される。
【００１７】
第3の態様によれば、本発明の一実施形態は、無線周波数およびデジタル変換ユニットを提供し、無線周波数およびデジタル変換ユニットは、無線周波数カードと、デジタルカードとを含み、
無線周波数カードは、少なくとも2つの事業者の無線周波数モジュールから来て対応するエアインターフェース周波数を有する無線周波数信号をデジタル信号に変換し、次いで、デジタル信号をデジタルカードに提供するように構成され、ここで、各事業者は、異なるエアインターフェース周波数に対応し、
デジタルカードは、同じセクタのデジタル信号をそのセクタに対応するアクティブアンテナに送信するように構成される。
【００１８】
第3の態様の第1の実装様式に関して、無線周波数カードは、少なくとも2つの事業者の各無線周波数モジュールから来る無線周波数信号にアナログ−デジタル変換を実行して無線周波数信号をデジタル信号に変換し、次いで、デジタル信号にダウンコンバージョン、デジタルフィルタ処理、およびIQ信号抽出を実行するように特に構成され、
デジタルカードは、同じセクタのIQ信号にスケジューリングおよびフレーミングを実行し、次いで、IQ信号をセクタに対応するアクティブアンテナに送信するように特に構成される。
【００１９】
第3の態様または第3の態様の第1の実装様式に関する第2の実装様式では、無線周波数およびデジタル変換ユニットは、
事業者ごとに設定される信号送信パラメータをネットワーク管理システムから受信し、信号送信パラメータをアクティブアンテナに送信するように構成されるサブユニットをさらに含む。
【００２０】
第3の態様または第3の態様の第1または第2の実装様式に関する第3の実装様式では、無線周波数およびデジタル変換ユニットは、周波数変換ユニットをさらに含み、
周波数変換ユニットは、少なくとも1つの事業者の無線周波数モジュールから来る無線周波数信号を受信し、セクタ周波数とエアインターフェース周波数との間の対応に従って、無線周波数信号の周波数を対応するエアインターフェース周波数に変換し、周波数が変換された無線周波数信号を無線周波数カードに送信するように構成され、ここで、少なくとも1つの事業者の無線周波数モジュールは、同じ事業者のものであり異なるセクタに対応する無線周波数信号を処理し、出力するように構成され、異なるセクタに対応する無線周波数信号は、異なるセクタ周波数を使用することによって区別される。
【００２１】
第4の態様によれば、本発明の一実施形態は、無線周波数およびデジタル変換ユニットを提供し、無線周波数およびデジタル変換ユニットは、無線周波数カードと、デジタルカードとを含み、
デジタルカードは、アクティブアンテナによって送信されたデジタル信号を少なくとも2つの事業者の無線周波数モジュールに対応するデジタル信号に分解するように構成され、
無線周波数カードは、分解されたデジタル信号を、少なくとも2つの事業者に対応し対応するエアインターフェース周波数を有する無線周波数信号に変換し、無線周波数信号を対応する無線周波数モジュールに送信するように構成され、ここで、各事業者は、異なるエアインターフェース周波数に対応する。
【００２２】
第4の態様または第4の態様の第1の実装様式に関して、デジタルカードは、アクティブアンテナによって送信されたデジタル信号をデフレームして少なくとも2つの事業者に対応するIQ信号を分離するように特に構成され、
無線周波数カードは、IQ信号にアップコンバージョンおよびデジタル−アナログ変換を実行してIQ信号を無線周波数信号に変換し、無線周波数信号を対応する無線周波数モジュールに送信するように特に構成される。
【００２３】
第4の態様または第4の態様の第1の実装様式に関する第2の実装様式では、無線周波数およびデジタル変換ユニットは、
事業者ごとに設定される信号送信パラメータをネットワーク管理システムから受信し、信号送信パラメータをアクティブアンテナに送信するように構成されるサブユニットをさらに含む。
【００２４】
第4の態様または第4の態様の第1または第2の実装様式に関する第3の実装様式では、無線周波数およびデジタル変換ユニットは、無線周波数カードによって送信された無線周波数信号を受信し、セクタ周波数とエアインターフェース周波数との間の対応に従って、無線周波数信号の周波数を対応するセクタ周波数に変換し、次いで、同じ事業者の異なるセクタの無線周波数信号を同じ無線周波数モジュールに送信するように構成された周波数変換ユニットをさらに含み、無線周波数モジュールは、同じ事業者のものであり異なるセクタに対応する無線周波数信号を受信し、処理するように構成され、異なるセクタに対応する無線周波数信号は、異なるセクタ周波数を使用することによって区別される。
【００２５】
第5の態様によれば、本発明の一実施形態は、複数の事業者間でアンテナを共有するための方法を提供し、本方法は、
無線周波数およびデジタル変換ユニットを使用することにより、無線周波数信号をデジタル信号に変換し、同じセクタのデジタル信号をそのセクタに対応するアクティブアンテナに送信するステップであって、無線周波数信号が、少なくとも2つの事業者の無線周波数モジュールから来て、対応するエアインターフェース周波数を有し、各事業者が、異なるエアインターフェース周波数に対応する、ステップと、
アクティブアンテナを使用することにより、事業者ごとに設定される信号送信パラメータに従って、受信されたデジタル信号に垂直ビームフォーミング処理と水平ビームフォーミング処理とのうちの少なくとも1つを実行し、処理されたデジタル信号を無線周波数信号に変換し、次いで、無線周波数信号をエアインターフェースから送信するステップとを含む。
【００２６】
第5の態様に関する第1の実装様式では、同じセクタのデジタル信号をそのセクタに対応するアクティブアンテナに送信するステップは、
デジタル信号にダウンコンバージョン、デジタルフィルタ処理、およびIQ信号抽出を実行し、同じセクタのIQ信号にスケジューリングおよびフレーミングを実行し、次いで、IQ信号をセクタに対応するアクティブアンテナに送信するステップを特に含む。
【００２７】
第5の態様または第5の態様の第1の実装様式に関する第2の実装様式では、信号送信パラメータは、アンテナチルト角を含み、アクティブアンテナにより、受信されたデジタル信号に垂直ビームフォーミング処理を実行するステップは、各事業者のビームのアンテナチルト角への独立した調整が実施できるよう、事業者ごとに設定されるアンテナチルト角に従って、対応するデジタルビームフォーミングDBFパラメータを設定するステップを特に含み、DBFパラメータを設定することは、アンテナの垂直方向にビームを生成するトランシーバTRXチャネルのためのアンテナチルト角の重みを調整することである。
【００２８】
第5の態様または第5の態様の第1または第2の実装様式に関する第3の実装様式では、信号送信パラメータは、アンテナアジマスまたはビーム幅を含み、アクティブアンテナにより、受信されたデジタル信号に水平ビームフォーミング処理を実行するステップは、各事業者のビームのアンテナアジマスとビーム幅とのうちの少なくとも1つへの独立した調整が実施できるよう、事業者ごとに設定されるアンテナアジマスまたはビーム幅に従って、対応するDBFパラメータを設定するステップを特に含み、DBFパラメータを設定することは、アンテナの水平方向にビームを生成するTRXチャネルのためのアンテナアジマスまたはビーム幅の重みを調整することである。
【００２９】
第5の態様または第5の態様の第1から第3の実装様式のいずれか1つに関する第4の実装様式では、本方法は、
無線周波数およびデジタル変換ユニットを使用することにより、事業者ごとに設定される信号送信パラメータをネットワーク管理システムから受信し、信号送信パラメータをアクティブアンテナに送信するステップをさらに含む。
【００３０】
第5の態様または第5の態様の第1から第4の実装様式のいずれか1つの第5の実装様式に関して、無線周波数およびデジタル変換ユニットを使用することにより、各無線周波数モジュールの無線周波数信号をデジタル信号に変換するステップよりも前に、本方法は、
周波数変換ユニットを使用することにより、少なくとも1つの事業者の無線周波数モジュールから来る無線周波数信号を受信し、セクタ周波数とエアインターフェース周波数との間の対応に従って、無線周波数信号の周波数を対応するエアインターフェース周波数に変換し、周波数が変換された無線周波数信号を無線周波数およびデジタル変換ユニットに送信するステップをさらに含み、ここで、少なくとも1つの事業者の無線周波数モジュールは、同じ事業者のものであり異なるセクタに対応する無線周波数信号を処理し、出力するように構成され、異なるセクタに対応する無線周波数信号は、異なるセクタ周波数を使用することによって区別される。
【００３１】
第6の態様によれば、複数の事業者間でアンテナを共有するための方法が提供され、本方法は、
アクティブアンテナを使用することにより、エアインターフェースから受信され少なくとも2つのエアインターフェース周波数を有する無線周波数信号をデジタル信号に変換し、次いで、事業者ごとに設定される信号送信パラメータに従って、デジタル信号に垂直ビームフォーミング処理と水平ビームフォーミング処理とのうちの少なくとも1つを実行し、次いで、デジタル信号を無線周波数およびデジタル変換ユニットに送信するステップであって、各事業者が、異なるエアインターフェース周波数に対応する、ステップと、
無線周波数およびデジタル変換ユニットを使用することにより、アクティブアンテナによって送信されたデジタル信号を少なくとも2つの事業者の無線周波数モジュールに対応するデジタル信号に分解し、次いで、分解されたデジタル信号を、少なくとも2つの事業者の無線周波数モジュールに対応し対応するエアインターフェース周波数を有する無線周波数信号に変換し、無線周波数信号を対応する無線周波数モジュールに送信するステップとを含む。
【００３２】
第6の態様に関する第1の実装様式では、信号送信パラメータは、アンテナチルト角を含み、アクティブアンテナを使用することにより、変換後に取得されたデジタル信号に垂直ビームフォーミング処理を実行するステップは、各事業者のビームのアンテナチルト角への独立した調整が実施できるよう、事業者ごとに設定されるアンテナチルト角に従って、対応するDBFパラメータを設定するステップを特に含み、DBFパラメータを設定することは、アンテナの垂直方向にビームを生成するTRXチャネルのためのアンテナチルト角の重みを調整することである。
【００３３】
第6の態様または第6の態様の第1の実装様式に関する第2の実装様式では、信号送信パラメータは、アンテナアジマスまたはビーム幅を含み、アクティブアンテナにより、変換後に取得されたデジタル信号に水平ビームフォーミング処理を実行するステップは、各事業者のビームのアンテナアジマスとビーム幅とのうちの少なくとも1つへの独立した調整が実施できるよう、事業者ごとに設定されるアンテナアジマスまたはビーム幅に従って、対応するDBFパラメータを設定するステップを特に含み、DBFパラメータを設定することは、アンテナの水平方向にビームを生成するTRXチャネルのためのアンテナアジマスまたはビーム幅の重みを調整することである。
【００３４】
第6の態様または第6の態様の第1または第2の実装様式に関する第3の実装様式では、無線周波数およびデジタル変換ユニットを使用することにより、アクティブアンテナによって送信されたデジタル信号を少なくとも2つの事業者の無線周波数モジュールに対応するデジタル信号に分解し、次いで、分解されたデジタル信号を、少なくとも2つの事業者の無線周波数モジュールに対応し対応するエアインターフェース周波数を有する無線周波数信号に変換し、無線周波数信号を対応する無線周波数モジュールに送信するステップは、
無線周波数およびデジタル変換ユニットを使用することにより、アクティブアンテナによって送信されたデジタル信号をデフレームして少なくとも2つの事業者のIQ信号を分離し、次いで、IQ信号にアップコンバージョンおよびデジタル−アナログ変換を実行してIQ信号を無線周波数信号に変換し、変換によって取得された無線周波数信号を対応する無線周波数モジュールに送信するステップを特に含む。
【００３５】
第6の態様または第6の態様の第1から第3の実装様式のいずれか1つに関する第4の実装様式では、本方法は、
無線周波数およびデジタル変換ユニットを使用することにより、事業者ごとに設定される信号送信パラメータをネットワーク管理システムから受信し、信号送信パラメータをアクティブアンテナに送信するステップをさらに含む。
【００３６】
第6の態様または第6の態様の第1から第4の実装様式のいずれか1つに関する第5の実装様式では、デジタル信号を各無線周波数モジュールの無線周波数信号に変換し、無線周波数信号を対応する無線周波数モジュールに別々に送信するステップの後に、本方法は、
周波数変換ユニットを使用することにより、無線周波数およびデジタル変換ユニットによって送信された無線周波数信号を受信し、セクタ周波数とエアインターフェース周波数との間の対応に従って、無線周波数信号の周波数を対応するセクタ周波数に変換し、次いで、同じ事業者の異なるセクタの無線周波数信号を対応する無線周波数モジュールに送信するステップをさらに含み、ここで、無線周波数モジュールは、同じ事業者のものであり異なるセクタに対応する無線周波数信号を受信し、処理するように構成され、異なるセクタに対応する無線周波数信号は、異なるセクタ周波数を使用することによって区別される。
【００３７】
上記の技術的解決策から、本発明の実施形態は、無線周波数およびデジタル変換ユニットと、アクティブアンテナとに関して、複数の事業者間でアンテナ共有を実施することが分かり得る。すなわち、複数の事業者の無線周波数モジュールによって送信され、同じセクタ中にある無線周波数信号が、共通のアクティブアンテナを使用することによって最終的に送信され得る。さらに、各事業者はアクティブアンテナのために信号送信パラメータを設定することができ、各運用について独立したネットワークプランニングおよびネットワーク最適化が、アクティブアンテナの垂直ビームフォーミング処理と水平ビームフォーミング処理とのうちの少なくとも1つによって実施され得る。
【図面の簡単な説明】
【００３８】
【図１】従来技術における、複数の事業者間でアンテナを共有するためのシステムの概略図である。
【図２】本発明の一実施形態による、単一のセクタにおいて複数の事業者間でアンテナを共有するためのシステムの構造図である。
【図３】本発明の一実施形態による、ダウンリンク信号のための方法のフローチャートである。
【図４】本発明の一実施形態による、アップリンク信号のための方法のフローチャートである。
【図５】本発明の一実施形態による、複数のセクタにおいて複数の事業者間でアンテナを共有するためのシステムの構造図である。
【図６】本発明の一実施形態による、複数のセクタにおいて複数の事業者間でアンテナを共有するための別のシステムの構造図である。
【図７】本発明の一実施形態による無線周波数およびデジタル変換ユニットの概略構造図である。
【発明を実施するための形態】
【００３９】
本発明の目的、技術的解決策、および利点をより明らかにするために、以下では、添付の図面と特定の実施形態とを参照しながら本発明についてさらに詳細に説明する。
【００４０】
本発明の一実施形態では、複数の事業者がアンテナを共有することを実装するために、無線周波数およびデジタル変換ユニット（RDCU、Radio  Frequency  and  Digital  Conversion  Unit）と、アクティブアンテナユニット（AAU、Active  Antenna  Unit）とが追加される。本発明の実施形態において述べられる「複数」は、2または2よりも大きいことを指す。アクティブアンテナユニットは、アクティブアンテナシステム（AAS、Active  Antenna  System）と称されることもあり、または略してアクティブアンテナ（AA）と称されることもある。無線周波数モジュールとアンテナとの間の統合の程度に応じて、アクティブアンテナシステムは、半統合型および統合型という、2つの形態に入り得る。統合型アクティブアンテナシステムは、複数のTRX（トランシーバ）ユニットと、複数のアンテナ要素（antenna  element）とを概して含む。TRXユニットは、フィーダネットワークを使用することによってアンテナ要素に接続され得る。本発明の実施形態では、アクティブアンテナユニットは、統合型構造を使用することによって実装され得る。
【００４１】
事業者間の信号の区別は周波数に基づく。すなわち、異なる事業者は異なる信号周波数（周波数チャネル番号）を使用する。概して、各事業者は、無線周波数信号を送信するために異なる無線周波数モジュールを使用する。本明細書では、本発明の実施形態において、各事業者によって使用される規格は限定されないこと、および本発明は、事業者によってたとえいかなる規格が使用されようとも適用可能であることが指摘される。
【００４２】
本発明の技術的解決策は、モバイル通信用グローバルシステム（Global  System  of  Mobile  communication、GSM（登録商標））、符号分割多元接続（CDMA、Code  Division  Multiple  Access）システム、広帯域符号分割多元接続（WCDMA（登録商標）、Wideband  Code  Division  Multiple  Access  Wireless）、汎用パケット無線サービス（GPRS、General  Packet  Radio  Service）、およびロングタームエボリューション（LTE、Long  Term  Evolution）など、様々な通信システムに適用され得る。
【００４３】
基地局は、GSMまたはCDMAにおける基地トランシーバ局（BTS、Base  Transceiver  Station）であり得るか、あるいはWCDMAにおけるノードB（NodeB）であり得るか、あるいはLTEにおける発展型ノードB（eNBまたはe-Node  B、evolved  NodeB）であり得、これらは本発明では限定されない。
【００４４】
本発明では、周波数は、ユーザ機器（UE、または移動局と称される）によって基地局に送信されるアップリンク信号のために使用される周波数帯域と、基地局によってユーザ機器に送信されるダウンリンク信号のために使用される周波数帯域とを含む、無線信号の送信周波数を指す。例えば、GSMでは、GSM900の動作周波数帯域は890〜960MHzであり、GSM1800の動作周波数帯域は1710〜1880MHzであり、ここで、Uplink（移動局によって基地局に送信される信号のアップリンク周波数帯域）は、GSM900では、890〜915MHzであり、GSM1800では、1710〜1785MHzである。また、Downlink（基地局によって移動局に送信される信号のダウンリンク周波数帯域）は、GSM900では、935〜960MHzであり、GSM1800では、1805〜1880MHzである。
【００４５】
周波数チャネル番号は、固定周波数に割り振られる通し番号である。例えば、使用中の周波数チャネル番号間のチャネル分離は200KHzであり得る。このようにして、GSMでは、GSM900のアップリンク周波数帯域は、200KHzのチャネル分離に従って、890MHz、890．2MHz、890．4MHz、890．6MHz、890．8MHz、891MHz、…、915MHzのように、125個の無線周波数帯域に分割され得、各周波数帯域は、1から2、3、4、…、125にわたって、番号を付けられ得る。固定周波数の通し番号は、上述の周波数チャネル番号である。逆に、周波数チャネル番号は固定周波数の通し番号である。GSMネットワークでは、周波数チャネル番号は、トランシーバのグループの送信周波数を指定するために周波数を交換するために使用され得る。例えば、キャリアの周波数チャネル番号が3であることが指定され、すなわち、キャリアは、周波数が890．4MHzであるアップリンク信号を受信し、935．4MHzの周波数において信号を送信することになる。同じ周波数帯域の複数の周波数チャネル番号が、異なる事業者に割り振られる。例えば、中国では、周波数チャネル番号1〜94は中国移動通信に属し、周波数チャネル番号96〜124は中国聯合通信に属し、周波数チャネル番号95は、これらの2つの事業者の間の区別のために予約済みである。
【００４６】
図2は、本発明の一実施形態によるシステムの構造図である。図2に示されているように、システムは、RDCUとアクティブアンテナとを主に含む。RDCUは、複数の事業者の基地局の無線周波数モジュールに接続するように構成され得る。図2では、一例として、無線周波数モジュールA、無線周波数モジュールB、および無線周波数モジュールCという、3つの事業者が使用されている。RDCUおよびアクティブアンテナは、ファイバーを使用することによって接続されるか、または高速ケーブルなどの他の手段を使用することによって接続され得る。無線周波数モジュールは、無線周波数ケーブル、フィーダなどを使用することによってRDCUに接続され得る。
【００４７】
本発明のこの実施形態ではアクティブアンテナが使用され、アクティブアンテナは、異なるビームを使用することによって異なる周波数の信号が送信され得るように、異なる周波数について信号送信パラメータを設定し得る。信号送信パラメータは、アクティブアンテナが信号を送信するときのビームに関係するパラメータであり、アンテナチルト角、アジマス、およびビーム形というパラメータのうちの少なくとも1つを含み得る。本発明に関与するビーム形は、ビーム幅（すなわち、ビーム幅）を主に含み得る。異なるパラメータ設定は異なるビームフォーミング様式に対応し、これについては後で詳細に説明する。
【００４８】
図3に示されているように、ダウンリンク信号の処理プロセスは以下を含み得る。
【００４９】
ステップ301：RDCUを使用することによって、少なくとも2つの事業者の無線周波数モジュールから来て対応するエアインターフェース周波数を有する無線周波数信号をデジタル信号に変換し、すなわち、アナログ−デジタル変換を実施し、次いで、同じセクタ（sector）の複数の無線周波数モジュールのデジタル信号を同じアクティブアンテナに送信し、各事業者は異なるエアインターフェース周波数に対応する。
【００５０】
具体的には、RDCUとアクティブアンテナとの間で送信されるデジタル信号はベースバンド信号である。すなわち、RDCUを使用することによって、少なくとも2つの事業者の無線周波数モジュールから来る無線周波数信号はベースバンド信号に変換され、すなわち、アナログ−デジタル変換およびダウンコンバージョン処理が実施され、次いで、同じセクタ（sector）の複数の無線周波数モジュールのベースバンド信号が同じアクティブアンテナに送信される。
【００５１】
ビームを形成するために、ある角度でセクタカバレージを形成するように基地局アンテナが使用されるので、ここで、アンテナによって形成されるセクタカバレージはアンテナのセクタと称されることがある。概して、アンテナによって形成されるセクタカバレージの角度は120度であり、全方向カバレージは3つのセクタを含む。
【００５２】
具体的には、RDCUは、ダウンリンク無線周波数信号をデジタル信号に変換するために、各無線周波数モジュールから来るダウンリンク無線周波数信号にアナログ−デジタル変換を実施し（アナログ−デジタル変換の前に、無線周波数信号にダウンコンバージョン処理が実施され得る）、次いで、デジタル信号にダウンコンバージョン、デジタルフィルタ処理、およびIQ（同相直交、In-phase  Quadrature）信号抽出を実施し、同じセクタの複数の無線周波数モジュールのデジタル信号を合成するために、同じセクタのIQ信号にスケジューリングおよびフレーミングを実施し得る。RDCUの特定の構造については、後続の実施形態で詳細に説明する。
【００５３】
概して、無線周波数モジュールとセクタとの間に対応が存在し、すなわち、無線周波数モジュールは、特定のセクタにおいて特定の事業者の無線周波数信号を送信することを担当し得る。
【００５４】
RDCUが、受信された無線周波数信号を送信する無線周波数モジュールと、その信号がそれに送信される必要があるセクタとを決定するのに複数の様式があり得、これはシステム要件に従って設計され得る。無線周波数モジュールとセクタとの間の対応は決定の基礎として使用され得、この対応は多様に具備され得る。例えば、信号を受信する無線周波数モジュールの識別子（または無線周波数モジュールに対応するインターフェースの識別子）を使用することによって、あるいは無線周波数モジュールとセクタとの間の対応（または無線周波数モジュールに対応するインターフェースとセクタとの間の対応）を探索することによって、信号がそれに送信される必要があるセクタが決定されるか、あるいは信号に対応するセクタは、RDCUによって受信され無線周波数モジュールによって送信される無線周波数信号中で搬送されるセル情報を使用することによって決定され得、ここで、セル情報は（cell  ID（識別子、identifier）などの）セル識別子を特に含み得る。RDCUは、無線周波数信号がそれに送信される必要があるセクタを決定するために、各セル情報中に含まれる対応するセクタ情報に従って対応するセクタ情報を収集し得るか、または無線周波数信号がそれに送信される必要があるセクタは、セル識別子とセクタとの間の対応に従ってRDCUを使用することによって決定され得る。具体的には、無線周波数モジュールとセクタとの間の対応は、RDCUに接続された構成モジュールを使用することによって構成され得る。RDCUに接続された構成モジュールは、運用および保守センター（OMC、Operating  and  Maintenance  Center）またはローカル保守端末（LMT、Local  Maintenance  Terminal）など、ネットワーク管理システムであり得る。無線周波数モジュールとセクタとの間の対応はまた、生産プロセスにおいてRDCU中に構築され得る。
【００５５】
無線周波数信号がそれに変換されるベースバンド信号（IQ信号）は、セル情報を依然として搬送し得る。セル情報は、セル識別子を含み得、周波数チャネル番号情報をさらに含み得る。IQ信号を受信した後に、アクティブアンテナは、周波数チャネル番号情報に従って、IQ信号上で対応する処理を実施し得る（例えば、IQ信号の周波数を対応する周波数チャネル番号の周波数に変換する）。セル情報は、周波数チャネル番号情報を含まないこともあり、IQ信号を受信した後に、アクティブアンテナは、セル識別子と周波数チャネル番号情報との間の対応に従って対応するIQ信号の周波数チャネル番号情報を決定し、それにより、IQ信号上で対応する処理を実施し得る。ベースバンド（デジタル）部分からアクティブアンテナの無線周波数部分（TRX）に送信されるとき、様々なIQ信号は、スケジュールされフレーム化された後に、ベースバンド部分と無線周波数部分との間のCPRIインターフェースなどのデジタルインターフェースを通して送信され得る。具体的には、デジタルインターフェースの量は実際の要件に従って決定され得る。インターフェース間の、各IQ信号に関する情報の、例えば、フレーム構造中に各IQ信号を配置するルールの、送信における対応は、（制御フレーム中の情報であり得る、制御情報などの）制御部分によってベースバンド部分から無線周波数部分に送信され得、したがって、各IQ信号に関する情報を受信した後に、無線周波数部分は、デフレーミングによって様々なIQ信号に関する情報を依然として取得することができる。加えて、さらに、様々なIQ信号に対応する取得された周波数チャネル番号情報に従って、様々なIQ信号に関する情報は、処理のために様々な論理リソース中に送信され得る。本明細書で説明する様々な論理リソースは、ビームフォーミングリソース、周波数変換リソース、電力増幅リソースなどのうちの1つまたは複数を含み得る。
【００５６】
ステップ302：事業者ごとに設定される信号送信パラメータに従ってアクティブアンテナを使用することによって、（特にベースバンド信号であり得る）受信されたデジタル信号に垂直ビームフォーミング処理と水平ビームフォーミング処理とのうちの少なくとも1つを実施し、次いで、処理されたデジタル信号を無線周波数信号に変換し、無線周波数信号をエアインターフェースから送信する。エアインターフェースから送信される無線周波数信号の周波数は、各対応する事業者のエアインターフェース周波数である。すなわち、RDCUおよびアクティブアンテナは、各事業者の無線周波数モジュールによって最初に出力された無線周波数信号に、無線周波数信号からベースバンド信号への変換と、次いで、ベースバンド信号から無線周波数信号への変換を実施する。変換プロセスにおいて、信号送信パラメータは、各事業者のビームについて独立して調整されるが、送信される必要が最初にある無線周波数信号のエアインターフェース周波数は変化しない。
【００５７】
アクティブアンテナは、異なる周波数チャネル番号のための信号送信パラメータ設定を可能にすることができる特徴を有する。各事業者によって使用される信号周波数は異なるので、各事業者に対応する周波数チャネル番号の信号送信パラメータ設定がアクティブアンテナのためにあらかじめ実施され得る。ここでは、信号送信パラメータ設定は、ネットワーク管理システムを使用することによってRDCUにおいて実施され得る。具体的には、設定は、各事業者に対応するIQ信号について実施されるか、または各事業者によって使用される周波数チャネル番号について実施され得る。設定が完了した後に、RDCUは、アクティブアンテナが、設定された情報に従って、各事業者に対応するIQ信号上で必要とされる処理を実施し得るように、設定された情報を、デジタルインターフェースを通してアクティブアンテナに送信する。確かに、各事業者に対応する周波数チャネル番号の信号送信パラメータは、アクティブアンテナにおいても構築され得る。
【００５８】
各事業者のベースバンド信号（IQ信号）を受信した後に、アクティブアンテナは、ベースバンド信号に対応する周波数チャネル番号（周波数）情報と、事業者ごとに設定される信号送信パラメータとに従って、各事業者のベースバンド信号に垂直ビームフォーミング処理と水平ビームフォーミング処理とのうちの少なくとも1つを実施し得る。ベースバンド信号に対応する周波数チャネル番号（周波数）情報の取得のために、ステップ301の説明への参照が行われ得るが、これについては本明細書で再び説明しない。
【００５９】
アクティブアンテナは、垂直ビームフォーミング処理と水平ビームフォーミング処理との機能を提供することができ、垂直ビームフォーミング処理は主に以下の通りである。アクティブアンテナのトランシーバ（TRX）チャネルが、アンテナの垂直方向にビームを生成するためにアンテナの垂直方向においてアンテナ要素と協力する。具体的には、アンテナの垂直方向におけるビームが、TRXチャネルごとにアンテナチルト角の重みを調整すること、例えば、（ここではシングルビーム特性への処理を指す）ビームスプリットまたはビームフォームを変更することなどのビームフォーミング処理によって変更され得る。TRXチャネルのための重みの設定は、デジタルビームフォーミング（DBF、デジタルビームフォーミング）パラメータの設定と称されることがある。上記の説明に基づいて、各事業者のビームのアンテナチルト角への独立した調整が実装され得るように、および異なる事業者のビームは異なるアンテナチルト角を有することができるように、アクティブアンテナは、事業者ごとに設定されるアンテナチルト角に従って対応するDBFパラメータを設定し得る。
【００６０】
水平ビームフォーミング処理は主に以下の通りである。アクティブアンテナのTRXチャネルが、アンテナの水平方向にビームを生成するためにアンテナの水平方向においてアンテナ要素と協力する。具体的には、アンテナの水平方向におけるビームのアジマスおよびビーム形が、TRXチャネルごとにアンテナアジマスまたはビーム幅の重みを調整することによって変更され得る。同様に、TRXチャネルのための重みの設定もDBFパラメータ設定と称されることがある。水平方向におけるビームの調整は、アンテナ要素の複数のアレイ（少なくとも2つのアレイ）を使用することによってのみ実装され得るので、アクティブアンテナは、アンテナ要素の複数のアレイの組合せ、例えば、アンテナ要素の4つのアレイの組合せまたはより多くのアンテナ要素の組合せを使用する必要がある。異なる事業者のビームのアンテナアジマスおよびビーム幅のうちの少なくとも1つへの独立した調整が実装され得るように、各事業者のビームが異なるアンテナアジマスまたはビーム幅を有することができるように、ならびに水平方向における異なる事業者のビームスプリットがさらに実装され得るように、アクティブアンテナは、各事業者によって設定されるアンテナアジマスまたはビーム幅に従って対応するDBFパラメータを設定することができる。ビーム幅は、ビームの幅またはローブの幅の略語であり、水平ビーム幅または垂直ビーム幅を含む。本発明のこの実施形態では、処理は水平ビームフォーミングのために実施され、したがって、ビーム幅は水平ビーム幅を指し得る。垂直ビームフォーミング処理と水平ビームフォーミング処理とのうちの少なくとも1つを実施した後に、アクティブアンテナは、異なるビームを使用することによって、各無線周波数モジュールの取得された無線周波数信号を送信することができる。アクティブアンテナによって使用されるべき特定のタイプの処理は、事業者によって設定されるDBFパラメータに従って決定され得る。事業者がアンテナチルト角のみを設定した場合、事業者の無線周波数モジュールに対応するデジタル信号に垂直ビームフォーミング処理のみが実施される。事業者がアンテナアジマスまたはビーム幅のみを設定した場合、事業者の無線周波数モジュールに対応するデジタル信号に水平ビームフォーミング処理のみが実施される。事業者がアンテナチルト角とアンテナアジマスまたはビーム幅の両方を設定した場合、事業者の無線周波数モジュールに対応するデジタル信号に垂直ビームフォーミング処理と水平ビームフォーミング処理の両方が実施される。
【００６１】
アップリンク信号上での処理は、基本的にダウンリンク信号上での処理の逆プロセスである。アップリンク信号上での処理に関与するステップまたは原理の説明については、ダウンリンク信号上での処理の説明への参照が行われ得る。
【００６２】
図4に示されているように、アップリンク信号上での処理は以下を含み得る。
【００６３】
ステップ401：アクティブアンテナを使用することによってエアインターフェースから受信された無線周波数信号を（特にベースバンド信号であり得る）デジタル信号に変換し、（特にベースバンド信号であり得る）デジタル信号に垂直ビームフォーミング処理と水平ビームフォーミング処理とのうちの少なくとも1つを実施し、次いで、デジタル信号をRDCUに送信する。エアインターフェースから受信された無線周波数信号は、少なくとも2つの事業者のものであり対応するエアインターフェース周波数を有する無線周波数信号を含み、各事業者は異なるエアインターフェース周波数に対応する。
【００６４】
同様に、異なる周波数チャネル番号のための信号送信パラメータ設定を可能にする、アクティブアンテナの特徴がここで使用される。各事業者によって使用される信号周波数チャネル番号は異なるので、アクティブアンテナは、各事業者に対応する周波数の信号送信パラメータ設定をあらかじめ実施することができる。
【００６５】
アクティブアンテナは、エアインターフェースから受信された無線周波数信号の周波数チャネル番号情報を決定し得るか、または無線周波数信号のセル情報を決定し得る。したがって、無線周波数信号がそれに変換されるベースバンド信号の周波数チャネル番号は、無線周波数信号の周波数チャネル番号情報に従って決定され得る。または、無線周波数信号がそれに変換されるベースバンド信号の周波数チャネル番号は、無線周波数信号のセル情報中に含まれるセル識別子、およびセル識別子と周波数チャネル番号情報との間の対応に従って決定され得る。このようにして、アクティブアンテナは、変換によって取得されたベースバンド信号から無線周波数信号を区別し、事業者ごとの設定に従って異なる処理を実施することができる。
【００６６】
アップリンク信号上での処理について、事業者がアンテナチルト角を設定した場合、アクティブアンテナによって、変換によって取得されたデジタル信号に垂直ビームフォーミング処理を実施することは、各事業者のビームのアンテナチルト角への独立した調整が実装され得るように、各事業者のビームが異なるアンテナチルト角を有することができるように、およびアクティブアンテナが、異なるアンテナチルト角を使用することによって異なる事業者の無線周波数信号を受信することができるように、事業者ごとに設定されるアンテナチルト角に従って対応するDBFパラメータを設定することを特に含む。ここでDBFパラメータを設定することは、アンテナの垂直方向にビームを生成するTRXチャネルのためのアンテナチルト角の重みを調整することを指す。
【００６７】
事業者がアンテナアジマスまたはビーム幅を設定した場合、アクティブアンテナによって、変換によって取得されたデジタル信号に水平ビームフォーミング処理を実施することは、各事業者のビームのアンテナアジマスとビーム幅とのうちの少なくとも1つへの独立した調整が実装され得るように、およびアクティブアンテナが、異なるアンテナアジマスまたはビーム幅を使用することによって異なる事業者の無線周波数信号を受信することができるように、事業者ごとに設定されるアンテナアジマスまたはビーム幅に従って対応するDBFパラメータを設定することを特に含む。ここでDBFパラメータを設定することは、アンテナの水平方向にビームを生成するTRXチャネルのためのアンテナアジマスまたはビーム幅の重みを調整することを指す。
【００６８】
ステップ402：RDCUを使用することによってアクティブアンテナによって送信された（特にベースバンド信号であり得る）デジタル信号を各無線周波数モジュールのデジタル信号に分解し、次いで、デジタル信号を各無線周波数モジュールの無線周波数信号に変換し、無線周波数信号を対応する無線周波数モジュールに送信する。
【００６９】
同様に、アップリンク信号上での処理について、RDCUは、ステップ301の逆処理を実施し、すなわち、IQ信号を分離するために、アクティブアンテナによって送信されたデジタル信号をデフレームし、次いで、アナログ−デジタル変換によってIQ信号を無線周波数信号に変換するためにIQ信号にアップコンバージョンを実施し、各無線周波数信号を対応する無線周波数モジュールに送信する。
【００７０】
具体的には、RDCUが、受信された無線周波数信号を送信する無線周波数モジュールと、その信号がそれに送信される必要があるセクタとを決定するのに複数の様式があり得、これはシステム要件に従って設計され得る。周波数チャネル番号情報、および無線周波数モジュールとセクタとの間の対応は、決定の基礎として使用され得、この対応は多様に具備され得る。例えば、信号がそれに送信される必要がある無線周波数モジュールは、ベースバンド信号を受信するセクタ（またはアクティブアンテナ）の識別子（あるいは、セクタ（またはアクティブアンテナ）に対応するインターフェースの識別子）を使用することによって、ならびに無線周波数モジュールとセクタ（またはアクティブアンテナ）との間の対応、およびベースバンド信号の周波数チャネル番号情報に従って決定され得る。ベースバンド信号の周波数チャネル番号情報は、RDCUによって受信されるベースバンド信号中で搬送されるセル情報に従って決定され得る。具体的には、セル情報は（cell  ID（識別子、identifier）などの）セル識別子を含み得る。RDCUは、各セル情報中に含まれる対応する周波数チャネル番号情報に従って、対応する周波数チャネル番号情報を収集し得るか、またはベースバンド信号がそれに送信される必要がある無線周波数モジュールは、セル識別子と周波数チャネル番号との間の対応に従ってRDCUを使用することによって決定され得る。具体的には、無線周波数モジュールとセクタとの間の対応、およびセル識別子と周波数チャネル番号との間の対応は、RDCUに接続された構成モジュールを使用することによって構成され得る。RDCUに接続された構成モジュールは、運用および保守センター（OMC、Operating  and  Maintenance  Center）またはローカル保守端末（LMT、Local  Maintenance  Terminal）など、ネットワーク管理システムであり得る。無線周波数モジュールとセクタとの間の対応はまた、生産プロセスにおいてRDCU中に構築され得る。
【００７１】
図2は、1つのセクタのためのシステム構造である。最終的に、1つのセクタに対応する3つの無線周波数モジュールの信号が（無線周波数モジュールは様々な事業者に属するので、それらは概して物理的に3つの無線周波数モジュールであり得る）図3に示されたプロセスを受けた後に、1つのアクティブアンテナは、次いで、3つの異なるビームを使用することによって信号を送信する。3つのセクタが存在すると仮定すると、必要とされるアンテナの量は、従来技術における9つから、本発明のこの実施形態における3つのアクティブアンテナに低減される。
【００７２】
RDCUによる信号の合成が同じセクタについて実施され、同じセクタの複数の無線周波数モジュールのデジタル信号が合成され、次いで、1つのアクティブアンテナに送信される。したがって、一般的な事例では、N個のセクタが存在する場合、アクティブアンテナの量もN個でなければならない。ここでのアクティブアンテナの量は、TRXとアンテナ要素との1つのセットによって測定され、TRX＋アンテナ要素のセットの量と同じである。
【００７３】
さらに、一例として図5に示されたシステムを使用して、3つのセクタS1、S2、およびS3が存在し、各事業者が3つのセクタ中に同じ周波数チャネル番号を有すると仮定すると、各事業者は、各事業者の異なるセクタの信号を処理するために各セクタに対応する無線周波数モジュールを使用する必要がある。このようにして、3つの事業者A、B、およびCは、9つの無線周波数モジュールによってそれぞれ送信される9つの無線周波数信号を有する。図5の無線周波数モジュールA1は、セクタS1中の事業者Aの基地局の無線周波数モジュールを表し、他の無線周波数モジュールの意味は同様である。
【００７４】
図5において、セクタS1の無線周波数モジュールA1、B1、およびC1と、セクタS2の無線周波数モジュールA2、B2、およびC2と、セクタS3の無線周波数モジュールA3、B3、およびC3とから送信される無線周波数信号は、すべてRDCUに送信される。各無線周波数モジュールのデジタル信号を取得するために各無線周波数モジュールの無線周波数信号にアナログ−デジタル変換を実施した後に、RDCUは、セクタS1の無線周波数モジュールA1、B1、およびC1に対応するデジタル信号をアクティブアンテナ1に送信し、セクタS2の無線周波数モジュールA2、B2、およびC2に対応するデジタル信号をアクティブアンテナ2に送信し、セクタS3の無線周波数モジュールA3、B3、およびC3に対応するデジタル信号をアクティブアンテナ3に送信する。アクティブアンテナ1、アクティブアンテナ2、およびアクティブアンテナ3は、次いで、事業者によって設定される信号送信パラメータに従って、各事業者の信号上で処理を別々に実施し得、ここでの処理は、各事業者に対応する信号周波数のために設定される信号送信パラメータに従って、受信されたデジタル信号の各周波数の信号上で対応する垂直ビームフォーミング処理と水平ビームフォーミング処理とのうちの少なくとも1つを実施することと、次いで、異なるビームを使用することによって各無線周波数モジュールの無線周波数信号が送信され得るように、デジタル−アナログ変換および周波数変換などの処理を実施することとを含み得る。すなわち、アクティブアンテナ1は、異なるビームを使用することによって無線周波数モジュールA1、B1、およびC1の無線周波数信号を送信し、アクティブアンテナ2は、異なるビームを使用することによって無線周波数モジュールA2、B2、およびC2の無線周波数信号を送信し、アクティブアンテナ3は、異なるビームを使用することによって無線周波数モジュールA3、B3、およびC3の無線周波数信号を送信する。
【００７５】
ただし、図5に示されたシステムでは、各セクタは異なる無線周波数モジュールに対応する必要があり、これは、ある程度までより多くのデバイスリソースの占有につながる。本明細書での本発明の一実施形態は、周波数変換ユニットを追加することによって、同じ事業者の異なるセクタが1つの無線周波数モジュールを共有することができる、好ましい実装様式をさらに提供する。
【００７６】
この場合、同じ事業者の異なるセクタ間で無線周波数モジュールを共有するために、システムは、図6に示されているように実装され得、セクタS1、S2、およびS3は、無線周波数モジュールA、無線周波数モジュールB、および無線周波数モジュールCを共有する。異なるセクタが無線周波数モジュールを共有することを可能にするために、無線周波数モジュールが、同じ事業者の異なるセクタの信号を処理し、送信するとき、信号は周波数に関して区別され得る。各セクタ中で送信している無線周波数信号の信号周波数は、ここではセクタ周波数と称されるが、各事業者は、エアインターフェースを介して信号を送信するためにエアインターフェース周波数を最終的に使用する必要がある。本発明のこの実施形態では、セクタ周波数からエアインターフェース周波数への変換は、周波数変換ユニットを使用することによって完了され得る。ここでのエアインターフェース周波数は、アンテナによって送信される信号の周波数を指す。特定のプロセスの一例は以下の通りである。
【００７７】
無線周波数モジュールAは、周波数fa1においてセクタS1中で事業者Aの基地局の無線周波数信号を処理し送信し、周波数fa2においてセクタS2中で事業者Aの基地局の無線周波数信号を処理し送信し、周波数fa3においてセクタS3中で事業者Aの基地局の無線周波数信号を処理し送信し、無線周波数モジュールBは、周波数fb1においてセクタS1中で事業者Bの基地局の無線周波数信号を処理し送信し、周波数fb2においてセクタS2中で事業者Bの基地局の無線周波数信号を処理し送信し、周波数fb3においてセクタS3中で事業者Bの基地局の無線周波数信号を処理し送信し、無線周波数モジュールCは、周波数fc1においてセクタS1中で事業者Cの基地局の無線周波数信号を処理し送信し、周波数fc2においてセクタS2中で事業者Cの基地局の無線周波数信号を処理し送信し、周波数fc3においてセクタS3中で事業者Cの基地局の無線周波数信号を処理し送信する。
【００７８】
アクティブアンテナ1はセクタS1の無線周波数信号を送信することを担当し、アクティブアンテナ2はセクタS2の無線周波数信号を送信することを担当し、アクティブアンテナ3はセクタS3の無線周波数信号を送信することを担当し、事業者Aによって使用されるエアインターフェース周波数はf1であり、事業者Bによって使用されるエアインターフェース周波数はf2であり、事業者Cによって使用されるエアインターフェース周波数はf3であると仮定する。したがって、セクタ周波数とエアインターフェース周波数との間の対応が周波数変換ユニットにおいてあらかじめ構成され得るか、あるいはセクタ周波数とエアインターフェース周波数との間の対応が、ネットワーク管理システムなどの構成モジュールを使用することによって周波数変換ユニットに送信されるかまたは周波数変換ユニットにおいて構成され得、ここでのセクタ周波数は、各セクタの無線周波数モジュールによって送信される無線周波数信号の元の周波数を指す。周波数変換ユニットは以下の動作を特に実施し得る。
【００７９】
ダウンリンク信号上での処理は以下の通りである。周波数変換ユニットは、同じ事業者の無線周波数モジュールから来る無線周波数信号を受信することであって、同じ事業者の無線周波数モジュールが、異なるセクタに対応する無線周波数信号を処理し、出力するように構成され、各セクタに対応する無線周波数信号の周波数（すなわち、セクタ周波数）が別の周波数とは異なる、受信することと、セクタ周波数とエアインターフェース周波数との間の対応に従って無線周波数信号の周波数を対応するエアインターフェース周波数に変換することと、周波数が変換された各無線周波数信号をRDCUに送信することとを行う。セクタ周波数とエアインターフェース周波数との間の対応は周波数変換ユニットにおいて事前構成され得る。例えば、対応が周波数変換ユニットのソフトウェアに書き込まれる様式（すなわち、生産プロセスにおける組込み様式）が使用され得るか、またはネットワーク管理システムなどの構成モジュールを使用することによって構成が周波数変換ユニットにおいて実施され得る。
【００８０】
周波数変換ユニットは、fa1、fa2、およびfa3をそれぞれf1（S1）、f1（S2）、およびf1（S3）に変換する。3つの周波数f1（S1）、f1（S2）、およびf1（S3）の値はすべてf1であることに留意されるべきであり、ただし、括弧は、対応するセクタを表すものである。具体的には、異なるセクタに対応する信号は、複数の様式で依然として区別され得、例えば、セクタを区別するために、セル情報またはセクタ情報を搬送することによって、あるいはセクタ周波数とセクタとの間の対応に従って区別され得る。fb1、fb2、およびfb3がそれぞれf2（S1）、f2（S2）、およびf2（S3）に変換され、fc1、fc2、およびfc3がそれぞれf3（S1）、f3（S2）、およびf3（S3）に変換された後に、周波数が変換された各無線周波数信号がRDCUに送信され、次いでRDCUは、各無線周波数信号をデジタル信号に変換し、次いで、同じセクタの複数のデジタル信号を対応するアクティブアンテナに送信する。すなわち、f1（S1）、f2（S1）、およびf3（S1）はアクティブアンテナ1に送信され、f1（S2）、f2（S2）、およびf3（S2）はアクティブアンテナ2に送信され、f1（S3）、f2（S3）、およびf3（S3）はアクティブアンテナ3に送信される。すべての無線周波数信号はセクタに基づいてグループ化され、それはRDCUにおいて完了され得る。この場合、RDCUの機能は、RDCUが上記の実施形態において各事業者の無線周波数モジュールに直接接続されたときの機能と同じであり、RDCUは、受信された無線周波数信号中で搬送されるセル情報またはセクタ情報に従ってセクタベースのグルーピングを完了し得る。別の実装様式では、無線周波数信号のセクタベースのグルーピングは周波数変換ユニットにおいても完了され得、RDCUは、同じセクタの無線周波数信号をベースバンド信号に変換し、それらのベースバンド信号を、対応するセクタに対応するアクティブアンテナに送信する。無線周波数信号のセクタベースのグルーピングは、セクタ周波数とセクタとの間の対応に従って周波数変換ユニットにおいて実装され得る。この対応は、生産プロセスにおいて構築され得るか、またはネットワーク管理システムなどの構成モジュールを使用することによって構成され得る。
【００８１】
上記の無線周波数信号のfa1と、fb1と、fc1との間に必要な関係は存在しないことに留意されたい。それらは、1つの無線周波数モジュールを使用することによって異なるセクタの信号上で処理を実施するように、無線周波数モジュール内で無線周波数モジュールによって設定される周波数であり得る。ただし、エアインターフェースを介して信号を送信するために、エアインターフェース上で各事業者のエアインターフェース周波数を区別すること、すなわち、信号を送信するための各事業者によって使用される周波数を区別することが必要である。
【００８２】
アップリンク信号上での処理は以下の通りである。周波数変換ユニットは、RDCUから無線周波数信号を受信し、セクタ周波数とエアインターフェース周波数との間の対応に従って無線周波数信号の周波数を対応するセクタの周波数に変換し、次いで、同じ事業者の異なるセクタの無線周波数信号を対応する無線周波数モジュールに送信し、これは、ダウンリンク信号上での処理の逆プロセスである。具体的には、対応の取得と、無線周波数信号がそれから受信されるセクタをどのように決定するか（すなわち、受信された無線周波数信号の周波数がそれに変換される必要があるセクタ周波数をどのように最終的に決定するか）とについて、ダウンリンク信号上での処理の説明への参照が行われ得る。例えば、対応は、あらかじめ構築され得るか、または構成モジュールを使用することによって取得され得る。無線周波数信号がそれから受信されるセクタは、無線周波数信号中で搬送されるセル情報またはセクタ情報に従って決定されるか、あるいはRDCUの送信側インターフェースの識別子に従って決定され得る（この場合、RDCUによって周波数変換ユニットに送信される信号はセクタに基づいてグループ化され、無線周波数モジュールとセクタとの間の対応に従って、RDCUは、周波数変換ユニットに、セクタに基づいてグループ化された無線周波数信号を送信する）。そのような内容については、従来技術における様式への参照が行われ得る。
【００８３】
周波数変換ユニットが、同じ事業者の異なるセクタの信号の周波数をその事業者のエアインターフェース周波数に変換するように、周波数変換ユニットが追加され得、したがって、異なるセクタは1つの無線周波数モジュールを共有することができることが分かるであろう。セクタ周波数は、ユーザ定義された様式で各事業者の異なるセクタの信号のために構成され、周波数変換ユニットが周波数変換を実施した後に、信号の周波数は、事業者に対応するエアインターフェース周波数に依然として変換され得、それにより、エアインターフェースを介して送信することが最終的に完了する。この様式は、同じ事業者の無線周波数モジュールの量を幾何学的に低減し、デバイスリソースを著しく節約する。
【００８４】
上記の例は、本発明のこの実施形態において提供される技術的解決策が各セクタに適用された例を使用することによって説明したものであることを理解されよう。しかしながら、特定の実装形態では、1つの用地における複数のセクタ中の1つまたは複数のセクタ（少なくとも2つのセクタ）が、本発明のこの実施形態において提供される技術的解決策を使用することによって要件に従って最適化され得る。あるいは、1つの用地における複数の事業者のうちの1つまたは複数が、本発明のこの実施形態において提供される技術的解決策を使用することによって要件に従って最適化され得る。
【００８５】
以下の説明では、システムにおけるRDCUの構造に強調を置く。図7は、本発明の上記の実施形態によるRDCUの概略構造図である。図7に示されているように、RDCUは、主に無線周波数カードとデジタルカードとからなる。無線周波数カードは、無線周波数（RF、Radio  Frequency）インターフェースを提供し、RFインターフェースを使用することによって基地局の無線周波数モジュールまたは周波数変換ユニットに接続される。デジタルカードは、アクティブアンテナに接続するためのデジタルインターフェースを提供することができる。デジタルインターフェースは、共通公衆無線インターフェース（CPRI、Common  Public  Radio  Interface）プロトコルに基づくか、またはオープン基地局アーキテクチャイニシアチブ（OBSAI、Open  Base  Station  Architecture  Initiative）プロトコルに基づき得る。
【００８６】
ダウンリンク信号上で無線周波数カードによって実行される処理は以下の通りである。少なくとも2つの事業者の無線周波数モジュールから来る無線周波数信号をベースバンド信号に変換し（無線周波数信号は、無線周波数モジュールから直接受信されるかまたは周波数変換ユニットによって送信される）、ベースバンド信号をデジタルカードに提供する。具体的には、無線周波数カードは、無線周波数信号をベースバンド信号に変換するために、無線周波数モジュールから来る無線周波数信号にアナログ−デジタル変換を実施する。このプロセスは、アナログ−デジタル変換の前に無線周波数信号にダウンコンバージョン処理を実施することと、次いで、デジタル信号にダウンコンバージョン、デジタルフィルタ処理、およびIQ信号抽出を実施することとを含み得る。
【００８７】
ダウンリンク信号上でデジタルカードによって実施される処理は以下の通りである。同じセクタの複数の無線周波数モジュールのベースバンド信号を同じアクティブアンテナに送信する。具体的には、デジタルカードは、無線周波数カードによって提供されるベースバンド信号中の同じセクタのIQ信号にスケジューリングおよびフレーミングを実施し、すなわち、同じセクタの複数の無線周波数モジュールのベースバンド信号を同じアクティブアンテナに送信するために同じセクタの複数の無線周波数モジュールのベースバンド信号を合成し得る。アップリンク信号上でデジタルカードによって実施される処理は以下の通りである。アクティブアンテナによって送信されたベースバンド信号を各無線周波数モジュールのベースバンド信号に分解し、次いで、ベースバンド信号を無線周波数カードに提供する。具体的には、デジタルカードは、IQ信号を分離するために、アクティブアンテナによって送信されたベースバンド信号をデフレームし得る。
【００８８】
アップリンク信号上で無線周波数カードによって実施される処理は以下の通りである。各無線周波数モジュールのベースバンド信号を無線周波数信号に変換し、次いで、無線周波数信号を対応する無線周波数モジュールに別々に送信する（無線周波数信号は、各無線周波数モジュールに直接送信されるか、または周波数変換ユニットを使用することによって無線周波数モジュールに送信され得る）。具体的には、デジタルカードによって提供されるIQ信号にアップコンバージョンを実施した後に、無線周波数カードは、IQ信号を無線周波数信号に変換するためにアナログ−デジタル変換を実施し、無線周波数信号を対応する無線周波数モジュールに送信する。
【００８９】
無線周波数およびデジタル変換ユニットは、ネットワーク管理システムなどの構成モジュールと（物理的に接続されることを含めて）通信するようにさらに構成され、ネットワーク管理システムから、事業者ごとに設定される信号送信パラメータを受信し、信号送信パラメータをアクティブアンテナに送信するようにさらに構成される。無線周波数およびデジタル変換ユニットは、
ネットワーク管理システムから、事業者ごとに設定される信号送信パラメータを受信し、信号送信パラメータをアクティブアンテナに送信するように構成されるサブユニットをさらに含み得る。
【００９０】
関与するアップリンク信号およびダウンリンク信号は、両方ともセル情報を搬送し得る。（無線周波数信号またはベースバンド信号であり得る）ダウンリンク信号について、デジタルカードまたは無線周波数カードは、セル情報中に含まれるセクタ情報、またはセル情報とセクタ情報との間の対応に従って、無線周波数モジュールを対応するダウンリンク信号のためのセクタに適合させ得る。（無線周波数信号またはベースバンド信号であり得る）アップリンク信号について、デジタルカードまたは無線周波数カードは、セクタ情報と無線周波数モジュールとの間の対応、セル情報中に含まれる周波数チャネル番号情報、またはセル情報とセクタ情報との間の対応に従って、セクタを対応するアップリンク信号のための無線周波数モジュールに適合させ得る。
【００９１】
RDCUが周波数変換ユニットまたは（後続の実施形態で説明する）組込み周波数変換ユニットに接続されるとき、周波数変換ユニットは、ダウンリンク信号のセクタベースのグルーピングを実装するか、またはセクタをアップリンク信号のための無線周波数モジュールに適合させ得る。この場合、RDCUは、セクタに基づいてアップリンク信号またはダウンリンク信号上で対応する処理を実施する必要のみがある。
【００９２】
アップリンク信号上でデジタルカードと無線周波数カードとによって実施される処理と、ダウンリンク信号上でデジタルカードと無線周波数カードとによって実施される処理は、2つの異なるプロセスであり得る。すなわち、無線周波数カードおよびデジタルカードは上記の様式でアップリンク信号を交替で処理するか、またはデジタルカードおよび無線周波数カードは上記の様式でダウンリンク信号を交替で処理する。
【００９３】
本発明のこの実施形態において説明する、アップリンク信号上での処理とダウンリンク信号上での処理は、2つの異なるプロセスであり得ることを理解されよう。この2つの間に逆関係が存在し得る。基地局または通信システムなどの通信装置のセットは、アップリンク信号上での処理とダウンリンク信号上での処理を同時に実装し得る。
【００９４】
別の実装様式がさらにあり得る。すなわち、周波数変換ユニットはRDCUに組み込まれ得る。この場合、RDCUは周波数変換ユニットをさらに含み、周波数変換ユニットは無線周波数カードのRFインターフェースに接続され、それの機能は、上記の実施形態で説明した機能と同じである。ダウンリンク信号について、周波数変換ユニットは、無線周波数モジュールから来る無線周波数信号を受信することであって、無線周波数モジュールが、同じ事業者のものであり異なるセクタに対応する無線周波数信号を処理し、出力するように構成され、各セクタの無線周波数信号が、（本明細書でセクタ周波数と称される）異なる周波数を使用することによって区別される、受信することと、セクタ周波数とエアインターフェース周波数との間の対応に従って無線周波数信号の周波数を対応するエアインターフェース周波数に変換することと、周波数が変換された、各無線周波数モジュールの無線周波数信号を無線周波数カードに送信することとを行う。アップリンク信号について、周波数変換ユニットは、無線周波数カードによって送信された無線周波数信号を受信し、セクタ周波数とエアインターフェース周波数との間の対応に従って無線周波数信号の周波数を対応するセクタ周波数に変換し、次いで、同じ事業者の異なるセクタの無線周波数信号を処理のために同じ無線周波数モジュールに送信する。
【００９５】
この構造の説明において述べた特定のステップまたは原理について、上記の方法の対応する実施形態における説明への参照が行われ得ることを理解されよう。
【００９６】
上記の説明から、本発明の実施形態において提供される方法およびシステムは以下の利点を有することが分かるであろう。
【００９７】
（1）本発明の実施形態では、複数の事業者間でアンテナ共有を実装するために、無線周波数およびデジタル変換ユニットと、アクティブアンテナとが使用される。すなわち、同じセクタ中の複数の事業者の無線周波数モジュールによって送信される無線周波数信号が、共通のアクティブアンテナを使用することによって最終的に送信され得る。
【００９８】
（2）各事業者は、アクティブアンテナの信号送信パラメータを設定し、例えば、異なるアンテナチルト角、アジマス、およびビーム幅を設定することができ、アクティブアンテナは、各事業者が独立してネットワークプランニングおよびネットワーク最適化を実施することができるように、垂直ビームフォーミング処理と水平ビームフォーミング処理とのうちの少なくとも1つを実施する。
【００９９】
（3）デバイスの投資が低減される。またさらに、マルチセクタの場合における無線周波数モジュールの量が、周波数変換ユニットを使用することによって低減され得、それにより、デバイスの投資がさらに低減される。3つの事業者が用地を共有し、無線周波数信号が3つのセクタ中で送信される例を使用して、各事業者によって構成される必要があるデバイス、および事業者間の共有デバイスの状況が、従来技術と本発明との間で比較され、この比較が表1に示されている。各事業者によって構成される無線周波数モジュールの量は3から1に低減され、3つのセクタ中のアンテナの量は以前の9から3に低減され、これにより、デバイスコストが著しく低減し、タワーの負荷が低減することが分かり得る。この実装様式は、事業者から共有デバイスおよびアンテナを分離することができ、事業者は、例えば、自分自身でタワー上にシステムを設置または保守することなしに、運用をサードパーティタワー会社に委託し得る。専門のサードパーティタワー会社は、均一な様式で保守を実施し、それにより、社会的効率の最大化が促進される。
【０１００】
【表１】
0006291052.tif 000002
【０１０１】
本発明の上記の実施形態の間で相互参照が行われ得ることを理解されよう。
【０１０２】
本発明において提供されるいくつかの実施形態では、開示されるシステム、装置、および方法は他の様式で実装され得ることを理解されたい。例えば、上記で説明したシステム実施形態は例示にすぎない。例えば、ユニットの分割は論理機能の分割にすぎず、実際の実装形態では、ユニットは他の様式で分割され得る。
【０１０３】
別個の部分として説明したユニットは、物理的に別個であってもなくてもよく、ユニットとして表示された部分は、物理ユニットであってもなくてもよく、1つの位置に配置されても、複数のネットワークユニット上に分散されてもよい。ユニットの一部または全部は、実施形態の解決策の目的を達成するために、実際の必要に従って選択され得る。
【０１０４】
さらに、本発明の実施形態における機能ユニットは、1つの処理ユニットに組み込まれ得るか、またはユニットの各々が物理的に単独で存在し得るか、または2つ以上のユニットが1つのユニットに一体化される。一体化されたユニットは、ハードウェアの形態で実装され得るか、またはソフトウェア機能ユニットに加えてハードウェアの形態で実装され得る。
【０１０５】
上記の一体化されたユニットがソフトウェア機能ユニットの形態で実装されるとき、一体化されたユニットはコンピュータ可読記憶媒体に記憶され得る。ソフトウェア機能ユニットは、記憶媒体に記憶され、本発明の実施形態で説明した方法のステップの一部を（パソコン、サーバ、またはネットワークデバイスであり得る）コンピュータデバイスまたはプロセッサに実行させるように命令するためのいくつかの命令を含む。上記の記憶媒体は、USBフラッシュドライブ、リムーバブルハードディスク、読取り専用メモリ（Read-Only  Memory、ROM）、ランダムアクセスメモリ（Random  Access  Memory、RAM）、磁気ディスク、または光ディスクなど、プログラムコードを記憶することができる任意の媒体を含む。
【図１】
0006291052.tif 000003
【図２】
0006291052.tif 000004
【図３】
0006291052.tif 000005
【図４】
0006291052.tif 000006
【図５】
0006291052.tif 000007
【図６】
0006291052.tif 000008
【図７】
0006291052.tif 000009